(57)【要約】【課題】充電器に置かれる充電対象の先後に関係なく、充電対象を充電可能とすること。【解決手段】充電器１は、無線でデバイスを充電する充電部３と、充電器１に置かれたデバイスの位置を検出する検出部３と、検出部３が複数のデバイスの位置を検出した場合に、検出したデバイスの位置に基づいて、いずれかのデバイスを優先して充電するように、充電部３を制御するマイクロコンピュータ２と、を備える。具体的には、マイクロコンピュータ２は、充電器１の所定位置に近いデバイスを優先して充電するように、充電部３を制御する【選択図】図２
2016136794.tif 000002
【特許請求の範囲】
【請求項１】
無線で充電対象を充電する充電部と、
自器に置かれた前記充電対象の位置を検出する検出部と、
前記検出部が複数の前記充電対象の位置を検出した場合に、検出した前記充電対象の位置に基づいて、いずれかの前記充電対象を優先して充電するように、前記充電部を制御する制御部と、
を備えることを特徴とする充電器。
【請求項２】
前記制御部は、自器の所定位置に近い前記充電対象を優先して充電するように、前記充電部を制御することを特徴とする請求項１に記載の充電器。
【請求項３】
前記制御部は、前記検出部が検出した前記複数の充電対象間の距離に基づいて、前記充電部による充電量を変更することを特徴とする請求項１又は２に記載の充電器。
【請求項４】
前記制御部は、前記複数の充電対象間の距離が大きければ大きいほど、優先して充電する前記充電対象の充電量を多くするように、前記充電部を制御することを特徴とする請求項３に記載の充電器。
【発明の詳細な説明】
【技術分野】
【０００１】
本発明は、無線で充電対象を充電する充電器に関する。
【背景技術】
【０００２】
特許文献１には、携帯電話等の充電対象と充電器との双方にコイルを設け、コイル間の電磁誘導を利用して充電対象を充電する技術が開示されている。無線で充電対象を充電する規格として、例えば、Ｑｉ（チー）がある。従来の充電器においては、複数の充電対象が充電器に置かれた場合、先に置かれた充電対象が充電され、先に置かれた充電対象の充電が完了した後、後に置かれた充電対象が充電される。
【０００３】
図７〜図９は、従来の充電器による充電処理を示す図である。図７では、電池残量レベルが「０」である充電対象のデバイス１が先に充電器に置かれ、充電が開始されている。デバイス１の充電中に、電池残量レベルが「０」であるデバイス２が充電器に置かれている。このとき、デバイス１が充電中であるため、デバイス２は、充電されない。充電対象１の充電が完了すると、デバイス２の充電が開始されている。図８では、電池残量レベルが「０」である充電対象１が先に充電器に置かれ、充電が開始されている。充電対象１の充電中に、電池残量レベルが「３」（電池容量の６０％）であるデバイス２が充電器に置かれている。このとき、デバイス１が充電中であるため、デバイス２は、充電されない。充電対象１の充電が完了すると、デバイス２の充電が開始されている。図９では、電池残量レベルが「３」（電池容量の６０％）であるデバイス１が先に充電器に置かれ、充電が開始されている。デバイス１の充電中に、電池残量レベルが「０」であるデバイス２が充電器に置かれている。このとき、デバイス１が充電中であるため、デバイス２は、充電されない。デバイス１の充電が完了すると、デバイス２の充電が開始されている。
【先行技術文献】
【特許文献】
【０００４】
【特許文献１】特開２０１４−０７５８５７号公報
【発明の概要】
【発明が解決しようとする課題】
【０００５】
上述のように、従来の充電器においては、複数の充電対象が充電器に置かれた場合、先に置かれた充電対象が充電され、先に置かれた充電対象の充電が完了した後、後に置かれた充電対象が充電される。このため、先に充電器に置かれた充電対象の電池残量が少ないときに、他の充電対象が充電器に置かれると、後に置かれた充電対象の充電が開始されるまで、長い時間がかかってしまう。
【０００６】
本発明の目的は、充電器に置かれる充電対象の先後に関係なく、充電対象を充電可能とすることである。
【課題を解決するための手段】
【０００７】
第１の発明の充電器は、無線で充電対象を充電する充電部と、自器に置かれた前記充電対象の位置を検出する検出部と、前記検出部が複数の前記充電対象の位置を検出した場合に、検出した前記充電対象の位置に基づいて、いずれかの前記充電対象を優先して充電するように、前記充電部を制御する制御部と、を備えることを特徴とする。
【０００８】
本発明では、制御部は、検出部が複数の充電対象の位置を検出した場合に、検出した充電対象の位置に基づいて、いずれかの充電対象を優先して充電するように、充電部を制御する。従って、充電対象の位置に基づいて、充電対象が充電されるため、充電器に置かれる充電対象の先後に関係なく、充電対象を充電することができる。
【０００９】
第２の発明の充電器は、第１の発明の充電器において、前記制御部は、自器の所定位置に近い前記充電対象を優先して充電するように、前記充電部を制御することを特徴とする。
【００１０】
本発明では、制御部は、充電器の所定位置に近い充電対象を優先して充電するように、充電部を制御する。従って、ユーザーは、充電器の所定位置近くに充電対象を置くことにより、その充電対象を優先して充電器により充電することができる。
【００１１】
第３の発明の充電器は、第１又は第２の発明の充電器において、前記制御部は、前記検出部が検出した前記複数の充電対象間の距離に基づいて、前記充電部による充電量を変更することを特徴とする。
【００１２】
本発明では、制御部は、検出部が検出した複数の充電対象間の距離に基づいて、充電部による充電量を変更する。従って、ユーザーは、充電対象間の距離を変更することにより、充電対象の充電量を変更することができる。
【００１３】
第４の発明の充電器は、第３の発明の充電器において、前記制御部は、前記複数の充電対象間の距離が大きければ大きいほど、優先して充電する前記充電対象の充電量を多くするように、前記充電部を制御することを特徴とする。
【００１４】
本発明では、制御部は、複数の充電対象間の距離が大きければ大きいほど、優先して充電する充電対象の充電量を多くするように、充電部を制御する。従って、ユーザーは、充電対象間の距離を大きくすることにより、優先して充電する充電対象の充電量を多くすることができる。
【発明の効果】
【００１５】
本発明によれば、充電器に置かれる充電対象の先後に関係なく、充電対象を充電することができる。
【図面の簡単な説明】
【００１６】
【図１】本発明の実施形態に係る充電器の構成を示すブロック図である。
【図２】充電器に置かれたデバイスを示す図である
【図３】充電器による充電処理を示す図である。
【図４】充電器による充電処理を示す図である。
【図５】充電器による充電処理を示す図である。
【図６】充電器によるデバイスの充電処理の動作を示すフローチャートである。
【図７】従来の充電器による充電処理を示す図である。
【図８】従来の充電器による充電処理を示す図である。
【図９】従来の充電器による充電処理を示す図である。
【発明を実施するための形態】
【００１７】
以下、本発明の実施形態について説明する。図１は、本発明の実施形態に係る充電器の構成を示すブロック図である。図１に示すように、充電器１は、マイクロコンピュータ２、充電部３、検出部４を備える。
【００１８】
マイクロコンピュータ２（制御部）は、充電器１を構成する各部を制御する。充電部３は、無線で充電対象であるデバイスを充電する。充電対象であるデバイスは、携帯電話、携帯音楽再生装置等である。充電部３は、充電制御部３１、コイル３２を有する。充電制御部３１は、検出部４が検出する充電器１に置かれたデバイスの位置に基づいて、マイクロコンピュータ２が決定するいずれかのコイル３２に電力を供給する。また、充電制御部３１は、マイクロコンピュータ２が決定する電力量の電力をコイル３２に供給する。コイル３２から発生される磁界により、デバイスに設けられたコイルが共振し、デバイスにおいて、電力が発生し、デバイスが充電される。検出部４は、充電器１に置かれたデバイスの位置を検出する。また、検出部４は、デバイスの電池残量を検出する。
【００１９】
マイクロコンピュータ２は、検出部４が複数のデバイスの位置を検出した場合に、検出したデバイスの位置に基づいて、いずれかのデバイスを優先して充電するように、充電部３を制御する。具体的には、マイクロコンピュータ２は、充電器１の所定位置に近いデバイスを優先して充電するように、充電部３を制御する。図２は、充電器１に置かれたデバイスを示す図である。横軸をＸ軸、縦軸をＹ軸で示している。本実施形態では、充電器１上面の右上隅が所定位置である。従って、デバイスが位置するＸＹ座標が大きい（右上にある）ほど、そのデバイスが優先して充電される。すなわち、位置するＸＹ座標が大きい（右上にある）ほど、充電されるデバイスの優先度が高い。図２に示す例では、位置するＸＹ座標が大きいデバイス２が優先して充電される。マイクロコンピュータ２は、優先度が高いデバイスを充電した後、次に優先度が高いデバイスを充電するように、充電部３を制御する。マイクロコンピュータ２は、優先度が高いデバイスを、少なくとも電池容量の２０％充電した後、次に優先度が高いデバイスを、電池容量の２０％充電するように、充電部３を制御する。
【００２０】
また、マイクロコンピュータ２は、検出部４が検出したデバイス間の距離に基づいて、充電部３による充電量を変更する。具体的には、マイクロコンピュータ２は、デバイス間の距離が大きければ大きいほど、優先して充電するデバイスの充電量を多くするように、充電部３を制御する。マイクロコンピュータ２は、優先度が高いデバイスを、少なくとも電池容量の２０％充電するが、デバイス間の距離に応じて、電池容量の２０％よりも多く、優先度が高いデバイスを充電する。ここで、Ｘ軸方向のデバイス間の距離をＬＸ、Ｙ軸方向のデバイス間の距離をＬＹとする。また、充電器１のＸ軸方向、Ｙ軸方向の長さの１／５を単位距離１とする。例えば、ＬＸ、ＬＹが充電器１の長さの３／５であれば、ＬＸ＝３、ＬＹ＝３である。マイクロコンピュータ２は、以下の式に基づいて、優先度が高いデバイスの充電量を決定する。
充電量α＝ＬＸ＊１０％＋ＬＹ＊１０％＋２０％（最低充電量）
例えば、ＬＸ、ＬＹが充電器１の長さの１／５であれば、ＬＸ＝１、ＬＹ＝１となり、
充電量α＝１＊１０％＋１＊１０％＋２０％＝４０％
となる。この場合、マイクロコンピュータ２は、優先度が高いデバイスを、電池容量の４０％充電した後、次に優先度が高いデバイスを、電池容量の２０％充電するように、充電部３を制御する。
【００２１】
また、例えば、ＬＸ、ＬＹが充電器１の長さの２／５であれば、ＬＸ＝２、ＬＹ＝２となり、
充電量α＝２＊１０％＋２＊１０％＋２０％＝６０％
となる。この場合、マイクロコンピュータ２は、優先度が高いデバイスを、電池容量の６０％充電した後、次に優先度が高いデバイスを、電池容量の２０％充電するように、充電部３を制御する。
【００２２】
また、例えば、ＬＸ、ＬＹが充電器１の長さの４／５であれば、ＬＸ＝４、ＬＹ＝４となり、
充電量α＝４＊１０％＋４＊１０％＋２０％＝１００％
となる。この場合、マイクロコンピュータ２は、優先度が高いデバイスを、電池容量の１００％充電した後、次に優先度が高いデバイスを、電池容量の２０％充電するように、充電部３を制御する。
【００２３】
図３〜図５は、充電器による充電処理を示す図である。図３では、デバイス２の優先度が高く、充電量α＝４０％である場合を示している。まず、デバイス２が、電池容量の４０％充電される（デバイス２の電池残量：電池容量の４０％）。次に、デバイス１が、電池容量の２０％充電される（デバイス１の電池残量：電池容量の２０％）。次に、デバイス２が、電池容量の４０％充電される（デバイス２の電池残量：電池容量の８０％）。次に、デバイス１が、電池容量の２０％充電される（デバイス１の電池残量：電池容量の４０％）。次に、デバイス２の電池残量は、電池容量の８０％であるため、デバイス２が、電池容量の２０％充電される（デバイス２の電池残量：電池容量の１００％）。次に、デバイス１が、電池残量が電池容量の１００％となるまで、充電される。
【００２４】
図４では、デバイス２の優先度が高く、充電量α＝６０％である場合を示している。まず、デバイス２が、電池容量の６０％充電される（デバイス２の電池残量：電池容量の６０％）。次に、デバイス１が、電池容量の２０％充電される（デバイス１の電池残量：電池容量の２０％）。次に、デバイス２の電池残量は、電池容量の６０％であるため、デバイス２が、電池容量の４０％充電される（デバイス２の電池残量：電池容量の１００％）。次に、デバイス１が、電池残量が電池容量の１００％となるまで、充電される。
【００２５】
図５では、デバイス２の優先度が高く、充電量α＝１００％である場合を示している。まず、デバイス２が、電池容量の１００％充電される。次に、デバイス１が、電池残量が電池容量の１００％となるまで、充電される。
【００２６】
以下、充電器１によるデバイスの充電処理の動作を図６に示すフローチャートに基づいて説明する。なお、ここでは、図２に示すように、デバイス１が先に充電器１に置かれ、デバイス２が後に充電器１に置かれた場合について説明する。マイクロコンピュータ２は、検出部４がデバイス１を検出したか否かを判断する（Ｓ１）。マイクロコンピュータ２は、検出部４がデバイス１を検出していないと判断している間は（Ｓ１：Ｎｏ）、Ｓ１の処理を繰り返し実行する。マイクロコンピュータ２は、検出部４がデバイス１を検出したと判断した場合（Ｓ１：Ｙｅｓ）、検出部４により、デバイス１の位置情報と電池残量とを取得する（Ｓ２）。このとき、マイクロコンピュータ２は、取得したデバイス１の位置情報と電池残量とをＲＡＭ（Random Access Memory）に記憶する。
【００２７】
次に、マイクロコンピュータ２は、検出部４がデバイス２を検出したか否かを判断する（Ｓ３）。マイクロコンピュータ２は、検出部４がデバイス２を検出したと判断した場合（Ｓ３：Ｙｅｓ）、検出部４により、デバイス２の位置情報と電池残量とを取得する（Ｓ４）。このとき、マイクロコンピュータ２は、取得したデバイス２の位置情報と電池残量とをＲＡＭに記憶する。マイクロコンピュータ２は、記憶したデバイス１の位置情報と、デバイス２位置情報と、に基づいて、優先して充電するデバイスをデバイス２に決定する（Ｓ５）。このとき、マイクロコンピュータ２は、記憶したデバイス１の位置情報と、デバイス２位置情報と、に基づいて、優先して充電するデバイス２の充電量αを計算する。
【００２８】
次に、マイクロコンピュータ２は、検出部４が検出しているデバイスの数が変化したか否かを判断する（Ｓ６）。マイクロコンピュータ２は、検出部４が検出しているデバイスの数が変化していないと判断した場合（Ｓ６：Ｎｏ）、デバイス１、デバイス２の電池残量が１００％であるか否かを判断する（Ｓ７）。マイクロコンピュータ２は、デバイス１、デバイス２の電池残量が１００％でないと判断した場合（Ｓ７：Ｎｏ）、充電部３により、優先して充電するデバイス２を電池容量のα％充電する（Ｓ８）。次に、マイクロコンピュータ２は、充電部３により、デバイス１を電池容量の２０％充電する（Ｓ９）。Ｓ９の処理の後、マイクロコンピュータ２は、Ｓ６の処理を実行する。
【００２９】
マイクロコンピュータ２は、デバイス１、デバイス２の電池残量が１００％であると判断した場合（Ｓ７：Ｙｅｓ）、デバイス１、デバイス２を充電する必要がないため、Ｓ１の処理を実行する。
【００３０】
また、マイクロコンピュータ２は、検出部４がデバイス２を検出していないと判断した場合（Ｓ３：Ｎｏ）、充電部３により、デバイス１を充電する（Ｓ１０）。次に、マイクロコンピュータ２は、検出部４がデバイス１を検出しているか否かに基づいて、デバイス１が取り外されたか否かを判断する（Ｓ１１）。マイクロコンピュータ２は、デバイス１が取り外されていないと判断した場合（Ｓ１１：Ｎｏ）、Ｓ３の処理を実行する。マイクロコンピュータ２は、デバイス１が取り外されたと判断した場合（Ｓ１１：Ｙｅｓ）、Ｓ１の処理を実行する。
【００３１】
また、マイクロコンピュータ２は、検出部４が検出しているデバイスの数が変化したと判断した場合（Ｓ６：Ｎｏ）、Ｓ３の処理を実行する。
【００３２】
以上説明したように、本実施形態では、マイクロコンピュータ２は、検出部４が複数のデバイスの位置を検出した場合に、検出したデバイスの位置に基づいて、いずれかのデバイスを優先して充電するように、充電部３を制御する。従って、デバイスの位置に基づいて、デバイスが充電されるため、充電器１に置かれるデバイスの先後に関係なく、デバイスを充電することができる。
【００３３】
また、本実施形態では、マイクロコンピュータ２は、充電器１の所定位置（上面の右上隅）に近いデバイスを優先して充電するように、充電部３を制御する。従って、ユーザーは、充電器１の所定位置近くにデバイスを置くことにより、そのデバイスを優先して充電器１により充電することができる。
【００３４】
また、本実施形態では、マイクロコンピュータ２は、検出部４が検出したデバイス間の距離に基づいて、充電部３による充電量を変更する。従って、ユーザーは、デバイス間の距離を変更することにより、デバイスの充電量を変更することができる。
【００３５】
また、本実施形態では、マイクロコンピュータ２は、デバイス間の距離が大きければ大きいほど、優先して充電するデバイスの充電量を多くするように、充電部３を制御する。従って、ユーザーは、デバイス間の距離を大きくすることにより、優先して充電するデバイスの充電量を多くすることができる。
【００３６】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００３７】
上述の実施形態においては、２つのデバイス（充電対象）が充電器１に置かれる場合について説明した。これに限らず、充電器１に置かれるデバイスは、３つ以上であってもよい。この場合、マイクロコンピュータ２は、位置するＸＹ座標が最も大きいデバイスから、位置するＸＹ座標が最も小さいデバイスへの順に充電するように、充電部３を制御するようにすればよい。また、充電器１に置かれるデバイスが３つ以上である場合、位置するＸＹ座標が最も大きいデバイス、すなわち、最も優先して充電されるデバイスの充電量αは、位置するＸＹ座標が２番目に大きいデバイスとの距離に基づいて、決定されるようにすればよい。位置するＸＹ座標が２番目に大きいデバイス、すなわち、２番目に優先して充電されるデバイスの充電量αは、３番目に位置するＸＹ座標が大きいデバイスとの距離に基づいて、決定されるようにすればよい。以下同様に、３番目等に位置するＸＹ座標が大きいデバイスの充電量αを決定することができる。
【００３８】
また、充電器１に３つ以上のデバイスが置かれた場合、マイクロコンピュータ２は、いずれか１つのデバイスの充電量を多くし、いずれか１つのデバイスを優先して充電するように、充電部３を制御するようにしてもよい。
【００３９】
上述の実施形態においては、マイクロコンピュータ２は、検出部４が検出したデバイス間の距離に基づいて、充電部３による充電量を変更する。これに限らず、マイクロコンピュータ２は、同じ充電量で、優先度の高い充電器から順に、デバイスを充電するように、充電部３を制御するようにしてもよい。
【００４０】
上述の実施形態においては、優先するデバイスを決定する充電器１の所定位置として、上面の右上隅を例示した。これに限らず、上面の右下隅、左下隅、左上隅、中心等であってもよい。
【００４１】
上述の実施形態においては、マイクロコンピュータ２は、デバイス間の距離が大きければ大きいほど、優先して充電するデバイスの充電量を多くするように、充電部３を制御する。これに限らず、マイクロコンピュータ２は、デバイス間の距離が小さければ小さいほど、優先して充電するデバイスの充電量を多くするように、充電部３を制御するようにしてもよい。
【産業上の利用可能性】
【００４２】
本発明は、無線で充電対象を充電する充電器に好適に採用され得る。
【符号の説明】
【００４３】
１  充電器
２  マイクロコンピュータ（制御部）
３  充電部
３１  充電制御部
３２  コイル
４  検出部
【図１】
2016136794.tif 000003
【図２】
2016136794.tif 000004
【図３】
2016136794.tif 000005
【図４】
2016136794.tif 000006
【図５】
2016136794.tif 000007
【図６】
2016136794.tif 000008
【図７】
2016136794.tif 000009
【図８】
2016136794.tif 000010
【図９】
2016136794.tif 000011